(57)【特許請求の範囲】
【請求項１】
表示手段と、
画像形成装置本体の電源のオンオフ状態を操作者の操作によって切り替え可能な電源スイッチと、
任意の設定情報が記憶された設定情報記憶手段と、
前記画像形成装置本体の電源スイッチがオンの状態に切り替えられた場合に、前記画像形成装置本体の起動処理を実行する起動処理実行手段と、
前記起動処理実行手段により実行された起動処理の実行中に、前記設定情報を前記設定情報記憶手段から読み出す設定情報読み出し手段と、
前記設定情報読み出し手段により読み出された設定情報を含むステータス表示画面を、前記起動処理実行手段による起動処理の完了前に、前記表示手段に表示させる表示制御手段と
を備え、
前記設定情報は、前記画像形成装置本体に割り当てられたＩＰアドレスを含み、
前記表示制御手段は、起動処理中に取得される前記ＩＰアドレスを含むステータス表示画面を、前記起動処理実行手段による起動処理の完了前に、前記表示手段に表示させること
を特徴とする画像形成装置。
【請求項２】
前記設定情報は、インストールされたファームウェアに関する情報を含み、
前記表示制御手段は、前記ファームウェアに関する情報を含むステータス表示画面を、前記起動処理実行手段による起動処理の完了前に、前記表示手段に表示させること
を特徴とする請求項１に記載の画像形成装置。
【請求項３】
前記設定情報は、前記画像形成装置本体に設けられたトナーの残量を含み、
前記表示制御手段は、前記トナーの残量を含むステータス表示画面を、前記起動処理実行手段による起動処理の完了前に、前記表示手段に表示させること
を特徴とする請求項１又は請求項２の何れか1項に記載の画像形成装置。
【請求項４】
前記設定情報は、前記画像形成装置本体に設けられた情報記録材の残量を含み、
前記表示制御手段は、前記情報記録材の残量を含むステータス表示画面を、前記起動処理実行手段による起動処理の完了前に、前記表示手段に表示させること
を特徴とする請求項１乃至請求項３の何れか1項に記載の画像形成装置。
【請求項５】
前記表示手段に表示させるステータス表示画面に含まれる設定情報を操作者の操作により設定する表示情報設定手段を更に備えたこと
を特徴とする請求項１乃至請求項４の何れか1項に記載の画像形成装置。
【請求項６】
前記表示制御手段は、前記設定情報読み出し手段により読み出された設定情報を含むステータス表示画面を、前記起動処理実行手段によって実行された起動処理の実行中であって、かつ、前記画像形成装置本体にインストールされた全てのソフトウェアの初期化処理の終了後に、前記表示手段に表示させる
ことを特徴とする請求項１乃至請求項５の何れか1項に記載の画像形成装置。
【請求項７】
電源スイッチと表示手段とを備えた画像形成装置にインストールされた画像形成プログラムであって、
前記画像形成装置のコンピュータに、
前記画像形成装置本体の電源スイッチがオンの状態に切り替えられた場合に、前記画像形成装置本体の起動処理を実行する起動処理実行機能、
前記起動処理実行機能により実行された起動処理に実行中に、任意の設定情報が記憶された前記設定情報記憶手段から前記設定情報を読み出す設定情報読み出し機能、
前記設定情報読み出し機能により読み出された設定情報を含むステータス表示画面を、前記起動処理実行機能による起動処理の完了前に、前記表示手段に表示させる表示制御機能
を実現させ、
前記設定情報は、前記画像形成装置本体に割り当てられたＩＰアドレスを含み、
前記表示制御機能は、前記ＩＰアドレスを含むステータス表示画面を、前記起動処理実行機能による起動処理の完了前に、前記表示手段に表示させること
を特徴とする画像形成プログラム。
【請求項８】
前記設定情報は、インストールされたファームウェアに関する情報を含み、
前記表示制御機能は、前記ファームウェアに関する情報を含むステータス表示画面を、前記起動処理実行機能による起動処理の完了前に、前記表示手段に表示させること
を特徴とする請求項７に記載の画像形成プログラム。
【請求項９】
前記設定情報は、前記画像形成装置本体に設けられたトナーの残量を含み、
前記表示制御機能は、前記トナーの残量を含むステータス表示画面を、前記起動処理実行機能による起動処理の完了前に、前記表示手段に表示させること
を特徴とする請求項７又は請求項８の何れか１項に記載の画像形成プログラム。
【請求項１０】
前記設定情報は、前記画像形成装置本体に設けられた情報記録材の残量を含み、
前記表示制御機能は、前記情報記録材の残量を含むステータス表示画面を、前記起動処理実行機能による起動処理の完了前に、前記表示手段に表示させること
を特徴とする請求項７乃至請求項９の何れか１項に記載の画像形成プログラム。
【請求項１１】
前記表示手段に表示させるステータス表示画面に含まれる設定情報を操作者の操作により設定可能であること
を特徴とする請求項７乃至請求項１０の何れか１項に記載の画像形成プログラム。
【請求項１２】
前記表示制御機能は、前記設定情報読み出し機能により読み出された設定情報を含むステータス表示画面を、前記起動処理実行機能によって実行された起動処理の実行中であって、かつ、前記画像形成装置本体にインストールされた全てのソフトウェアの初期化処理の終了後に、前記表示手段に表示させる
ことを特徴とする請求項７乃至請求項１１の何れか1項に記載の画像形成プログラム。
【発明の詳細な説明】
【技術分野】
【０００１】
本発明は、電源投入後、起動処理の完了前に、画像形成装置本体に割り当てられたＩＰアドレス等の任意の設定情報を含むステータス画面を表示画面に表示する画像形成装置及び画像形成プログラムに関する。
【背景技術】
【０００２】
従来、電源投入後に、ホストコンピュータから受信した印刷データに対し、予め設定した設定値に基づいて、ロゴ等の画像データを付加したり、印刷データの一部を画像データに置換したりする画像編集処理を実行する画像形成装置が知られている（特許文献１参照）。
【０００３】
また、操作者の労力を軽減して操作者に与える不快感を軽減する観点から、装置の起動処理の完了後に、基本画面上に表示するお好みキーに操作者が多用するキーの機能を設定することで、操作者が多用するキーの機能を当該お好みキーに割り当てることが可能な操作装置を備えた画像形成装置が知られている（特許文献２参照）。
【０００４】
【特許文献１】特開２００６−０４４２３２号公報
【特許文献２】特許第３００６６９３号公報
【発明の開示】
【発明が解決しようとする課題】
【０００５】
しかし、特許文献１に開示された画像形成装置は、ホストコンピュータから受信した印刷データにロゴ等の画像データを付加したり、印刷データの一部を画像データに置換したりする画像編集処理を電源投入後に実行するだけであるので、印刷ジョブを実行するための設定を早急に実行したいと思慮する操作者は、電源投入直後から画像形成装置本体の起動処理の完了までの時間に関して、印刷ジョブ等のジョブを実行するための何らの設定を行うことなく待機せざるを得ない。
【０００６】
また、特許文献２に開示された画像形成装置は、操作者に与える不快感を軽減することは可能であるが、この画像形成装置は、起動完了後に操作者が多用するキーの機能をお好みキーに割り当てることによって、操作者が必要とする情報を表示させるのに実行する作業を削減するものであるので、かかる画像形成装置を用いたとしても、起動処理中の操作者の待機時間を短縮することは極めて困難である。
【０００７】
また、一般的な画像形成装置では、電源投入後、装置本体の起動処理が開始された後から起動処理の完了までの間には、当該メーカのロゴ等を含む画面を表示画面に表示するのみで、操作者がジョブの実行のために必要な設定を行うための設定情報は表示させることができない。
【０００８】
一般に、画像形成装置では、装置の規模や機種にも依るが、電源投入後から装置本体の起動処理の完了までに最低でも十数秒〜数分程度の時間を要する。
【０００９】
すなわち、これらの画像形成装置では、印刷ジョブ等のジョブを実行する為の何らかの設定を行いたいと思慮したとしても、電源投入後から印刷ジョブ等のジョブを開始するための設定を行うことが可能になるまで、操作者は最低でも十数秒〜数分程度の時間だけ待機していなければならない。
【００１０】
その結果、これらの画像形成装置では、必要な設定を行って印刷ジョブ等の各種ジョブを早急に実行したいと欲する操作者に対して不快感を与えてしまう可能性がある。
【００１１】
本発明者の画像形成装置の起動処理に対する検討によれば、起動処理の完了前に任意の設定情報を表示することによって、起動処理に付随して発生する操作者の待機時間の短縮を図ると共に、操作者に対して与える不快感の軽減を図ることが可能な画像形成装置に対する産業界の要望が高まっている。
【００１２】
そこで、本発明は、起動処理に付随して発生する操作者の待機時間の短縮を図ると共に、操作者に対して与える不快感の軽減を図ることを可能にする画像形成装置及び画像形成プログラムを提供することを目的とする。
【課題を解決するための手段】
【００１３】
本発明の骨子は、「起動処理の実行中に、設定情報を設定情報記憶手段から読み出した後、読み出された設定情報を含むステータス表示画面を、当該起動処理の完了前に、表示手段に表示させる」構成により、起動処理に付随して発生する操作者の待機時間の短縮を図ると共に、操作者に対して与える不快感の軽減を図ることを可能にするという効果を達成することにある。
【００１４】
なお、本明細書では、「起動処理」とは、「画像形成装置を構成するハードウェアを初期状態、換言すれば電源投入時の状態に戻してインストールされたＯＳの管理下で印字を可能な状態にすると共に、画像形成装置を構成するソフトウェアを初期状態、換言すれば、起動された直後又は当該ソフトウェアが画像形成装置のコンピュータにインストールされた直後の状態に戻してインストールされたＯＳの管理下で印字可能な状態にする処理」のことを意味し、例えば定着ローラの温度調整処理、カラーコードの調整処理、ソフトウェアで使用されるデータの初期設定値を半導体メモリから読み込む処理、ＤＨＣＰ（Dynamic Host Configuration Protocol：動的ホスト構成プロトコル）サーバにアクセスして、当該ＤＨＣＰサーバによって当該複合機に一定の時間だけ割り当てられるＩＰアドレスを取得する処理等が含まれる。
【００１５】
さて、以上のような本発明の骨子は、具体的には以下のような手段を講じることにより実現される。
【００１６】
本発明は、画像形成装置であって、表示手段と、画像形成装置本体の電源のオンオフ状態を操作者の操作によって切り替え可能な電源スイッチと、任意の設定情報が記憶された設定情報記憶手段と、前記画像形成装置本体の電源スイッチがオンの状態に切り替えられた場合に、前記画像形成装置本体の起動処理を実行する起動処理実行手段と、前記起動処理実行手段により実行された起動処理の実行中に、前記設定情報を前記設定情報記憶手段から読み出す設定情報読み出し手段と、前記設定情報読み出し手段により読み出された設定情報を含むステータス表示画面を、前記起動処理実行手段による起動処理の完了前に、前記表示手段に表示させる表示制御手段とを備え、前記設定情報は、前記画像形成装置本体に割り当てられたＩＰアドレスを含み、前記表示制御手段は、起動処理中に取得される前記ＩＰアドレスを含むステータス表示画面を、前記起動処理実行手段による起動処理の完了前に、前記表示手段に表示させることを特徴とする。
【００１７】
これにより、起動処理の実行中に、設定情報が設定情報読み出し手段によって設定情報記憶手段から読み出され、設定情報として起動処理中に取得されたＩＰアドレスを含むステータス表示画面が表示制御手段によって、起動処理の完了前に、表示手段に表示されるので、起動処理に付随して発生する操作者の待機時間の短縮を図ることが可能になると共に、操作者に対して与える不快感の軽減を図ることが可能になる。
【００１８】
また、本発明は、電源スイッチと表示手段とを備えた画像形成装置にインストールされた画像形成プログラムであって、前記画像形成装置のコンピュータに、前記画像形成装置本体の電源スイッチがオンの状態に切り替えられた場合に、前記画像形成装置本体の起動処理を実行する起動処理実行機能、前記起動処理実行機能により実行された起動処理に実行中に、任意の設定情報が記憶された前記設定情報記憶手段から前記設定情報を読み出す設定情報読み出し機能、前記設定情報読み出し機能により読み出された設定情報を含むステータス表示画面を、前記起動処理実行機能による起動処理の完了前に、前記表示手段に表示させる表示制御機能を実現させ、前記設定情報は、前記画像形成装置本体に割り当てられたＩＰアドレスを含み、前記表示制御機能は、前記ＩＰアドレスを含むステータス表示画面を、前記起動処理実行機能による起動処理の完了前に、前記表示手段に表示させることを特徴とする。
【００１９】
これにより、起動処理の実行中に、任意の設定情報が記憶された設定情報記憶手段から前記設定情報が読み出され、設定情報として起動処理中に取得されたＩＰアドレスを含むステータス表示画面が、起動処理の完了前に、表示手段に表示されるので、起動処理に付随して発生する操作者の待機時間の短縮を図ることが可能になると共に、操作者に対して与える不快感の軽減を図ることが可能になる。
【００２０】
なお、ここでは、説明の簡略化を図る観点から、本発明のうち「画像形成装置」、及び「画像形成プログラム」として表現された発明のみに関して説明を行ったが、これに限らず、本発明の要旨を変更しない範囲内で「画像形成方法」及び「記録媒体」等の任意のカテゴリーとして表現してもよいことはいうまでもない。
【００２１】
また、上記発明を「方法」として表現する場合には、上記「装置」の発明の説明中における「手段」という文言を「工程」、「段階」、「行程」、又は「ステップ」と言う文言に読み替えるものとする。
【００２２】
更に、上記発明を「記録媒体」として表現する場合には、上記「プログラム」の発明中の「プログラム」という文言を「プログラムを記録したコンピュータ読み取り可能な記録媒体」と言う文言に読み替えるものとする。
【発明の効果】
【００２３】
本発明によれば、画像形成装置本体の電源が投入されたと判定された場合に、開始された画像形成装置本体の起動処理の実行中に、設定情報記憶手段から読み出された設定情報として起動処理中に取得されたＩＰアドレスを含むステータス表示画面が起動処理の完了前に、表示制御手段によって表示手段に表示されるので、起動処理に付随して発生する操作者の待機時間の短縮を図ることが可能になると共に、操作者に対して与える不快感の軽減を図ることが可能になる。
【発明を実施するための最良の形態】
【００２４】
以下、本発明の最良の形態に関し、図面を参照して説明する。
【００２５】
図１は、本発明に係る画像形成装置を適用した複合機１の一例を示す斜視図である。
【００２６】
また、図２は、本発明に係る画像形成装置を適用した複合機１の構成の一例を示す機能ブロック図である。
【００２７】
本発明に係る画像形成装置を適用した複合機１は、例えばＬＡＮ（Local Area Network）やＷＡＮ（Wide Area Network）等の通信ネットワークを介して図示しない周知のパーソナルコンピュータや、図示しない他の複合機１に接続され、ＦＡＸ機能、スキャナ機能、コピー機能、プリンター機能等の種々の機能を備える複合機である。
【００２８】
本実施の形態に係る複合機１は、パネル部１ｂの表示画面上における操作者の操作によって設定された設定情報、例えば図示しないＤＨＣＰサーバ装置によって当該複合機１本体に割り当てられたＩＰアドレス、複合機１本体内部に設けられたトナーカートリッジ内に残存するトナーの残量に関する情報、複合機１本体内部に設けられた給紙段（給紙トレイ）毎の記録紙の残量に関する情報、当該複合機１本体にインストールされたファームウェアに関する情報等のうち少なくとも1つの情報を含むステータス画面を、複合機１本体に設けられた電源スイッチ１ａが操作者の操作によってオンの状態に切り替えられた直後から当該複合機１本体で実行される起動処理の完了前にパネル部１ｂの表示画面（表示手段）1ｂ1に表示する複合機である。
【００２９】
本実施の形態に係る複合機１は、図２に示すように、電源スイッチ１ａと、パネル部１ｂと、インターフェース部１ｃと、トナー残量検出部１ｄＹ、１ｄＭ、１ｄＣ、１ｄＫと、給紙段別紙残量検出部１ｅ１〜１ｅｎと、給紙段別カウンタ１ｆ１〜１ｆｎと、ＩＰアドレス記憶メモリ１ｇと、表示項目設定記憶メモリ１ｈと、トナー残量記憶メモリ１ｉと、給紙段別紙残量記憶メモリ１ｊと、給紙段別印刷枚数記憶メモリ１ｋと、ファームウェアデータ記憶メモリ１ｌと、プログラム記憶メモリ１ｍと、占有者データ記憶メモリ１ｎと、排出トレイデータ記憶メモリ１ｏと、用紙種別データ記憶メモリ１ｐと、給紙段データ記憶メモリ１ｑと、実行予定ジョブ記憶バッファ１ｒと、印刷ジョブ履歴データ記憶メモリ１ｓと、テンプレートファイル記憶メモリ１ｔと、画像生成部１ｕと、プリンターエンジン部１ｖと、制御部１ｗとを備えている。
【００３０】
なお、本実施の形態に係る複合機１は、製造時に図示しない内蔵メモリに画像形成プログラムが書き込まれた、又は記録媒体もしくは通信ネットワークを介して画像形成プログラムがインストールされたコンピュータによって実現される。
【００３１】
また、本実施の形態に係る複合機１を構成する各部は、ソフトウェアもしくはハードウェア又はハードウェアとソフトウェアとの組み合わせの何れから構成されていてもよいことはいうまでもない。
【００３２】
電源スイッチ１ａは、操作者の操作によりオンオフの状態が切り換えられる機械式スイッチであり、操作者の操作によりオンの状態に切り替えられた場合に、複合機１の電源が投入されたことを示す電源投入信号を制御部１ｗに出力する。
【００３３】
パネル部１ｂは、この複合機１本体の電源スイッチ１ａが操作者の操作によってオンの状態に切り替えられた場合に実行される複合機１本体の起動処理の完了前に表示され、かつ、予め後述するメニュー画面上の設定操作によって設定された設定情報であるＩＰアドレス、トナーの残量、記録紙の残量、及びファームウェアのバージョンに関する情報のうち少なくとも1つのデータを含むステータス表示画面と、複合機１本体の電源スイッチ１ａがオンの状態に切り替えられた場合に複合機１本体で実行される起動処理が完了した後、換言すれば前述したステータス表示画面が表示された後で表示され、かつ、ＦＡＸ機能とスキャナ機能とコピー機能とプリンター機能との相互切替え、文書のデータを読み取る際の解像度、作成する文書のデータを含む電子ファイルの形式、画質、読み取り時の濃度、読み取り倍率の設定、前述したステータス表示画面に表示させる設定情報の設定、後述するレディ画面に表示させる設定情報の設定、及び各モードの設定等を行うためのメニュー画面と、ジョブを受け付けることが可能な場合に、メニュー画面上の設定操作によって設定された設定情報であるトナーの残量、給紙段毎の紙の残量等を含み、かつ、ジョブを受け付けることが可能なことを示すレディ画面とを表示する表示画面（表示手段）を備えている。
【００３４】
本実施の形態に係るパネル部１ｂは、ステータス表示画面表示項目設定要求出力機能、ステータス表示画面表示機能、メニュー画面表示機能、レディ画面表示項目設定要求出力機能、表示時間設定入力受け付け機能、表示時間設定要求出力機能、及びレディ画面表示機能を有している。
【００３５】
ステータス表示画面表示項目設定要求出力機能は、表示画面上に表示されたメニュー画面上における操作者の選択操作によってなされた表示項目のデータの設定入力を受け付けると、起動処理の実行時に表示画面に表示させるステータス表示画面に含まれる表示項目を設定するためのステータス表示画面表示項目設定要求と、操作者の選択操作によって選択されたステータス表示画面に含まれる表示項目のデータとを制御部１ｗに出力する機能である。
【００３６】
ステータス表示画面表示機能は、電源スイッチ１ａがオンの状態に切り替えられた場合に、当該複合機１で実行される起動処理の完了前に、ＩＰアドレス、トナーの残量、情報記録材である記録紙の残量、及びファームウェアのバージョンに関する情報のうち少なくとも１つの情報を含むステータス表示画面を表示画面に表示する機能である。
【００３７】
メニュー画面表示機能は、操作者の操作によって電源スイッチ１ａが投入された後、当該複合機１本体で実行される起動処理が完了すると、ＦＡＸ機能とスキャナ機能とコピー機能とプリンター機能との相互切替え、文書のデータを読み取る際の解像度、作成する文書のデータを含む電子ファイルの形式、画質、読み取り時の濃度、読み取り倍率の設定、前述したステータス表示画面に表示させる設定情報の設定、及び各モードの設定等を行うためのメニュー画面を、表示画面に表示する機能である。
【００３８】
レディ画面表示項目設定要求出力機能は、表示画面上に表示されたメニュー画面上における操作者の選択操作によってなされた表示項目のデータの設定入力を受け付けると、起動処理の完了後に、表示画面に表示させるレディ画面に含まれる表示項目を設定するためのレディ画面表示項目設定要求と、操作者の選択操作によって選択されたレディ画面に含まれる表示項目のデータとを制御部１ｗに出力する機能である。
【００３９】
表示時間設定入力受け付け機能は、タッチパネル上における操作者の選択操作により、
直前の印刷ジョブの終了後から次の印刷ジョブの実行開始までの間の任意の時間に設定可能なレディ画面毎の表示時間の入力を受け付ける機能である。
【００４０】
表示時間設定要求出力機能は、タッチパネル上における操作者の選択操作により入力を受け付けたレディ画面毎の表示時間のデータと、レディ画面毎の表示時間を設定するための表示時間設定要求との組を制御部１ｗに出力する機能である。
【００４１】
レディ画面表示機能は、操作者の選択操作によって選択された表示項目のデータを含むレディ画面を表示する機能である。
【００４２】
インターフェース部１ｃは、ＩＰアドレス取得機能、ＩＰアドレス転送機能、プリントデータ受信機能、及びプリントデータ転送機能を有する。
【００４３】
ＩＰアドレス取得機能は、操作者の操作によって電源投入がなされたと制御部１ｗに判定された場合には、周知のＤＨＣＰ（Dynamic Host Configuration Protocol：動的ホスト構成プロトコル）に準拠した手順で外部に設けられた図示しないＤＨＣＰサーバ装置にアクセスして、当該ＤＨＣＰサーバ装置によって当該複合機１に一定の時間だけ割り当てられるＩＰアドレスを取得する機能である。
【００４４】
ＩＰアドレス転送機能は、前述したＩＰアドレス取得機能によって外部に設けられたＤＨＣＰサーバ装置から取得したＩＰアドレスに関するデータを制御部１ｗに出力する機能である。
【００４５】
プリントデータ受信機能は、例えばＬＡＮ（Local Area Network）、ＷＡＮ（Wide Area Network）等の通信ネットワークを介して接続された図示しない周知のパーソナルコンピュータや、図示しない他の複合機から送信され、ジョブ毎に割り当てられたジョブＩＤ、及びネットワーク上の端末に割り当てられたＭＡＣアドレスを含むヘッダ部分と、ページ記述言語等で記載されたペイロードと、誤り検出及びパリティチェックに用いるＦＣＳ（Frame Check Sequence）とを含むパケットを受信する機能である。
【００４６】
プリントデータ転送機能は、プリントデータ受信機能により受信されたパケットのデータのパリティチェック、誤り訂正等の処理を実行した後、受信したパケットに含まれるデータを制御部１ｗに出力する機能である。
【００４７】
トナー残量検出部１ｄY、１ｄM、１ｄC、１ｄKは、ＹＭＣＫ（Yellow/Magenta/Cyan/black）毎のトナーの残量を検出し、検出したトナーの残量のデータに、各トナー残量検出部１ｄＹ〜１ｄＫに割り当てられたトナーセンサＩＤを付加して、トナーの残量とトナーセンサＩＤとの組を制御部１ｗに出力する。
【００４８】
給紙段別紙残量検出部１ｅ１〜１ｅｎは、給紙段毎に設置されており、給紙段毎の紙の残量に関するデータを検出し、検出した紙の残量に関するデータに給紙段別紙残量検出部１ｅ１〜１ｅｎ毎に割り当てられた紙センサＩＤを付加して、検出した紙の残量と紙センサＩＤとの組を制御部１ｗに出力する。
【００４９】
なお、給紙段は、給紙トレイと呼んでもよい。
【００５０】
給紙段別カウンタ１ｆ１〜１ｆｎは、給紙段毎に設置されており、給紙段毎の印刷枚数をカウントし、カウントした印刷枚数に各給紙段別カウンタ１ｆ１〜１ｆｎに割り当てられたカウンタ識別ＩＤを付加して、カウントした印刷枚数とカウンタ識別ＩＤとの組を制御部１ｗに出力する。
【００５１】
ＩＰアドレス記憶メモリ１ｇには、外部に設けられた図示しないＤＨＣＰサーバ装置によって当該複合機１に一定の時間だけ割り当てられるＩＰアドレスが記憶されている。このＩＰアドレス記憶メモリ１ｇは、揮発性の半導体メモリから構成されている。
【００５２】
なお、本実施の形態に係るＩＰアドレス記憶メモリ１ｇは、いわゆるキャッシュメモリ、バッファ、ＨＤＤ(Hard Disk Drive)等の種々の形態として設けてもよい。
【００５３】
表示項目設定記憶メモリ１ｈには、操作者の操作によってパネル部１ｂから入力された表示項目のデータが記憶されている。この表示項目設定記憶メモリ１ｈは、図示しない外部電源によってデータを保持するための電圧が印加された揮発性の半導体メモリから構成されている。
【００５４】
なお、本実施の形態に係る表示項目設定記憶メモリ１ｈは、いわゆるキャッシュメモリ、バッファ、ＨＤＤ(Hard Disk Drive)等の種々の形態として設けてもよい。
【００５５】
トナー残量記憶メモリ１ｉには、トナーの残量、トナーセンサＩＤ、及び検出時刻が対応して記憶されている。このトナー残量記憶メモリ１ｉは、図示しない外部電源によってデータを保持するための電圧が印加された揮発性の半導体メモリから構成されている。
【００５６】
なお、本実施の形態に係るトナー残量記憶メモリ１ｉは、いわゆるキャッシュメモリ、バッファ、ＨＤＤ(Hard Disk Drive)等の種々の形態として設けてもよい。
【００５７】
給紙段別紙残量記憶メモリ１ｊには、紙の残量、紙センサＩＤ、及び検出時刻が対応して記憶されている。この給紙段別紙残量記憶メモリ１ｊは、図示しない外部電源によってデータを保持するための電圧が印加された揮発性の半導体メモリから構成されている。
【００５８】
なお、本実施の形態に係る給紙段別紙残量記憶メモリ１ｊは、いわゆるキャッシュメモリ、バッファ、ＨＤＤ(Hard Disk Drive)等の種々の形態として設けてもよい。
【００５９】
給紙段別印刷枚数記憶メモリ１ｋには、印刷枚数、カウンタ識別ＩＤ、及び検出時刻が対応して記憶されている。この給紙段別印刷枚数記憶メモリ１ｋは、図示しない外部電源によってデータを保持するための電圧が印加された揮発性の半導体メモリから構成されている。
【００６０】
なお、本実施の形態に係る給紙段別印刷枚数記憶メモリ１ｋは、いわゆるキャッシュメモリ、バッファ、ＨＤＤ(Hard Disk Drive)等の種々の形態として設けてもよい。
【００６１】
ファームウェアデータ記憶メモリ１ｌには、複合機１本体にインストールされたファームウェアのバージョンに関するデータが記憶されている。このファームウェアデータ記憶メモリ１ｌは、図示しない外部電源によってデータを保持するための電圧が印加された揮発性の半導体メモリから構成されている。
【００６２】
なお、本実施の形態に係るファームウェアデータ記憶メモリ１ｌは、いわゆるキャッシュメモリ、バッファ、ＨＤＤ(Hard Disk Drive)等の種々の形態として設けてもよい。
【００６３】
プログラム記憶メモリ１ｍには、複合機１本体にインストールされた複数のプログラムを含むソフトウェアが記憶されている。このプログラム記憶メモリ１ｍは、図示しない外部電源によってデータを保持するための電圧が印加された揮発性の半導体メモリから構成されている。
【００６４】
なお、本実施の形態に係るプログラム記憶メモリ１ｍは、いわゆるキャッシュメモリ、バッファ、ＨＤＤ(Hard Disk Drive)等の種々の形態として設けてもよい。
【００６５】
占有者データ記憶メモリ１ｎには、ネットワーク上に接続された各端末装置に割り当てられたＭＡＣアドレスと、当該ＭＡＣアドレスの割り当てられた各端末装置を占有する個人の氏名に関するデータとが少なくとも対応して記憶されている。この占有者データ記憶メモリ１ｎは、図示しない外部電源によってデータを保持するための電圧が印加された揮発性の半導体メモリから構成されている。
【００６６】
なお、本実施の形態に係る占有者データ記憶メモリ１ｎは、いわゆるキャッシュメモリ、バッファ、ＨＤＤ(Hard Disk Drive)等の種々の形態として設けてもよい。
【００６７】
排出トレイデータ記憶メモリ１ｏには、用紙サイズに関するデータと、用紙サイズが割り当てられた排出トレイに関するデータとが少なくとも対応して記憶されている。この排出トレイデータ記憶メモリ１ｏは、図示しない外部電源によってデータを保持するための電圧が印加された揮発性の半導体メモリから構成されている。
【００６８】
なお、本実施の形態に係る排出トレイデータ記憶メモリ１ｏは、いわゆるキャッシュメモリ、バッファ、ＨＤＤ(Hard Disk Drive)等の種々の形態として設けてもよい。
【００６９】
用紙種別データ記憶メモリ１ｐには、給紙段と、前述した端末装置等からの設定操作によって各給紙段に割り当てられた用紙の種別とが少なくとも対応して記憶されている。
この用紙種別データ記憶メモリ１ｐは、図示しない外部電源によってデータを保持するための電圧が印加された揮発性の半導体メモリから構成されている。
【００７０】
なお、本実施の形態に係る用紙種別データ記憶メモリ１ｐは、いわゆるキャッシュメモリ、バッファ、ＨＤＤ(Hard Disk Drive)等の種々の形態として設けてもよい。
【００７１】
給紙段データ記憶メモリ１ｑには、給紙段毎に予め設置された給紙段別カウンタ１ｆ１〜１ｆｎに割り当てられたカウンタ識別ＩＤのデータと操作者の操作によって、給紙段毎に設定された紙のサイズに関するデータとが少なくとも対応して記憶されている。この給紙段データ記憶メモリ１ｑは、図示しない外部電源によってデータを保持するための電圧が印加された揮発性の半導体メモリから構成されている。
【００７２】
なお、本実施の形態に係る給紙段データ記憶メモリ１ｑは、いわゆるキャッシュメモリ、バッファ、ＨＤＤ(Hard Disk Drive)等の種々の形態として設けることが出来る。
【００７３】
実行予定ジョブ記憶バッファ１ｒには、ビットマップのデータ、当該ビットマップに対応するＭＡＣアドレスのデータ、ファイル名のデータ、印刷ジョブＩＤ、用紙サイズ、及び容量に関するデータが実行順序に従ってソートされた実行予定の印刷ジョブを含む印刷ジョブリストが書き込み／読み出し可能に記憶されている。この実行予定ジョブ記憶バッファ１ｒは、図示しない外部電源によってデータを保持するための電圧が印加された揮発性の半導体メモリから構成されている。
【００７４】
なお、本実施の形態に係る実行予定ジョブ記憶バッファ１ｒは、いわゆるキャッシュメモリ、ＨＤＤ(Hard Disk Drive)等の種々の形態として設けることが出来る。
【００７５】
印刷ジョブ履歴データ記憶メモリ１ｓには、印刷ジョブＩＤ、ＭＡＣアドレスのデータ、ファイル名のデータ、用紙サイズ、容量に関するデータ、印刷ジョブの実行開始時刻、及び印刷ジョブの終了時刻が書き込み／読み出し可能に記憶されている。この印刷ジョブ履歴データ記憶メモリ１ｓは、図示しない外部電源によってデータを保持するための電圧が印加された揮発性の半導体メモリから構成されている。
【００７６】
なお、本実施の形態に係る印刷ジョブ履歴データ記憶メモリ１ｓは、ＨＤＤ(Hard Disk Drive)等の種々の形態として設けることが出来る。
【００７７】
テンプレートファイル記憶メモリ１ｔには、実行予定の印刷ジョブの有無に関する実行予定ジョブ有無情報と、実行済みの印刷ジョブの有無に関する実行済みジョブ有無情報と、操作者の操作によって設定された表示時間と、表示項目と、表示形式と、表示項目のレイアウトに関するデータとが少なくとも予め定められたメニュー画面、ステイタス表示画面、及びレディ画面のテンプレートファイルが記憶されている。このテンプレートファイル記憶メモリ１ｔは、図示しない外部電源によってデータを保持するための電圧が印加された揮発性の半導体メモリから構成されている。
【００７８】
なお、本実施の形態に係るテンプレートファイル記憶メモリ１ｔは、ＨＤＤ(Hard Disk Drive)等の種々の形態として設けることが出来る。
【００７９】
画像生成部１ｕは、ビットマップデータ生成機能と、ビットマップデータ出力機能とを有する。
【００８０】
ビットマップデータ生成機能は、制御部１ｗからページ記述言語で記述されたプリントデータを受け取り、受け取ったプリントデータを展開してビットマップのデータを生成する機能である。
【００８１】
ビットマップデータ出力機能は、前述したビットマップデータ生成機能により生成されたビットマップのデータを制御部１ｗに返送する機能である。
【００８２】
プリンターエンジン部１ｖは、画像生成機能、ジョブリスト生成機能、ジョブ開始通知出力機能、及びジョブ終了通知機能を有している。
【００８３】
画像生成機能は、制御部１ｗから受け取ったビットマップのデータに基づいて電子写真方式で画像を顕像化して、顕像化した画像を情報記録材である紙の表面に生成する機能である。
【００８４】
ジョブリスト生成機能は、制御部１ｗから受け取ったデータ内に含まれるジョブの優先度に基づいて、割り込みジョブがあった場合に該当する実行予定のジョブの順序を入れ替えて実行予定のジョブリストを生成して、生成したジョブリストを制御部１ｗに出力する機能である。
【００８５】
ジョブ開始通知出力機能は、ジョブの開始時にジョブの処理を開始したことを示すジョブ開始通知を制御部１ｗに出力する機能である。
【００８６】
ジョブ終了通知機能は、ジョブの終了時にジョブの処理が終了したことを示すジョブ終了通知を制御部１ｗに出力する機能である。
【００８７】
制御部１ｗは、以下の各機能を有しており、本実施の形態に係る複合機１が後述の設定情報表示処理を実行するように、電源スイッチ１ａと、パネル部１ｂと、インターフェース部１ｃと、トナー残量検出部１ｄと、給紙段別紙残量検出部１ｅと、給紙段別カウンタ１ｆと、ＩＰアドレス記憶メモリ１ｇと、表示項目設定記憶メモリ１ｈと、トナー残量記憶メモリ１ｉと、給紙段別紙残量記憶メモリ１ｊと、給紙段別印刷枚数記憶メモリ１ｋと、ファームウェアデータ記憶メモリ１ｌと、プログラム記憶メモリ１ｍと、占有者データ記憶メモリ１ｎと、排出トレイデータ記憶メモリ１ｏと、用紙種別データ記憶メモリ１ｐと、給紙段データ記憶メモリ１ｑと、実行予定ジョブ記憶バッファ１ｒと、印刷ジョブ履歴データ記憶メモリ１ｓと、テンプレートファイル記憶メモリ１ｔと、画像生成部１ｕと、プリンターエンジン部１ｖとを制御する。
【００８８】
電源オンオフ判定機能は、電子スイッチから出力された電源投入信号を検出したかにより、操作者の操作によって電子スイッチがオンの状態に切り替えられたかを判定する機能である。
【００８９】
インターフェース起動処理実行機能は、前述した電源オンオフ判定機能により操作者の操作によって電子スイッチがオンの状態に切り替えられた、換言すれば電源が投入されたと判定した場合に、インターフェース部１ｃの起動処理を実行する機能である。
【００９０】
インターフェース制御機能は、周知のＤＨＣＰに準拠した手順で外部に設けられた図示しないＤＨＣＰサーバ装置にアクセスするようにインターフェース部１ｃを制御する機能である。
【００９１】
ＩＰアドレス書き込み機能は、アクセスしたＤＨＣＰサーバ装置によって一定の期間だけ当該複合機１本体に割り当てられたＩＰアドレスをインターフェース部１ｃから受け取り、受け取ったＩＰアドレスのデータをＩＰアドレス記憶メモリ１ｇに記憶させる機能である。
【００９２】
プログラム読み出し機能は、複合機１本体にインストールされた全てのプログラムをプログラム記憶メモリ１ｍから順次読み出す機能である。
【００９３】
ソフトウェア起動処理実行機能は、読み出したプログラムに含まれる各プログラムモジュール内部の動作チェック、各プログラムモジュール内部で設定されたローカル変数並びにグローバル変数の初期設定値への変更、及び引数の初期設定値への変更等を含むソフトウェアの起動処理を実行する機能である。
【００９４】
ソフトウェア起動処理完了判定機能は、読み出した全てのプログラムに関してソフトウェアの起動処理が完了したかを判定する機能である。
【００９５】
表示項目チェック機能は、前述したソフトウェア起動処理完了判定機能により読み出した全てのプログラムに関してソフトウェアの起動処理が完了したと判定された場合に、操作者により設定された表示項目のデータを表示項目記憶メモリから読み出し、読み出した表示項目のデータの種別を判定する機能である。
【００９６】
ステータス表示画面データ生成機能は、前述した表示項目チェック機能により表示項目記憶メモリから読み出した表示項目の種別が「ＩＰアドレス」であると判定された場合に、ＩＰアドレスのデータをＩＰアドレス記憶メモリ１ｇから読み出した後、ステータス表示画面のテンプレートファイルのデータをテンプレートファイル記憶メモリ１ｔから読み出し、読み出したステータス表示画面のテンプレートファイルのデータと、ＩＰアドレスのデータとを合成して、ＩＰアドレスのデータを含むステータス画面のデータを生成する機能である。
【００９７】
ステータス表示画面制御機能は、前述したステータス表示画面データ生成機能により生成されたＩＰアドレスのデータを含むステータス表示画面をパネル部１ｂの表示画面に表示させる機能である。
【００９８】
なお、本実施の形態に係る複合機１の有するパネル部１ｂの表示画面に表示されるステータス表示画面には、前回電源がオフの状態に変更された直後に当該複合機１内に設けられたトナー容器内に残存するトナーの残量に関する情報、前回電源がオフの状態に変更された直後に当該複合機１内に設けられたトナー容器内に残存する記録紙の残量に関する情報、及び当該複合機１にインストールされたファームウェアに関する情報のうち少なくとも何れか１つの情報が更に含まれていてもよいことはいうまでもない。
【００９９】
第２のステータス表示画面データ生成機能は、前述した表示項目チェック機能により表示項目記憶メモリから読み出した表示項目の種別が「トナーの残量」であると判定した場合に、トナー残量記憶メモリ１ｉからトナーの残量のデータを読み出した後、テンプレートファイル記憶メモリ１ｔからステータス表示画面のテンプレートファイルのデータを読み出し、読み出したステータス表示画面のテンプレートファイルのデータと、トナーの残量のデータとを合成して、トナーの残量のデータを含むステータス画面のデータを生成する機能である。
【０１００】
第２のステータス表示画面制御機能は、前述した第２のステータス表示画面データ生成機能により生成されたトナーの残量のデータを含むステータス表示画面をパネル部１ｂの表示画面に表示させる機能である。
【０１０１】
なお、本実施の形態に係る複合機１の有するパネル部１ｂの表示画面に表示されるステータス表示画面には、ＤＨＣＰサーバ装置によって当該複合機１に割り当てられたＩＰアドレスに関する情報、前回電源がオフの状態に変更された直後に当該複合機１内に設けられた用紙トレイ内に残存する記録紙の残量に関する情報、及び当該複合機１にインストールされたファームウェアに関する情報のうち少なくとも何れか１つの情報が更に含まれていてもよいことはいうまでもない。
【０１０２】
第３のステータス表示画面データ生成機能は、前述した表示項目チェック機能により表示項目記憶メモリから読み出した表示項目の種別が「記録紙の残量」であると判定した場合に、記録紙の残量のデータを給紙段別残量記憶メモリから読み出した後、ステータス表示画面のテンプレートファイルのデータをテンプレートファイル記憶メモリ１ｔから読み出し、読み出したステータス表示画面のテンプレートファイルのデータと、記録紙の残量のデータとを合成して、記録紙の残量のデータを含むステータス画面のデータを生成する機能である。
【０１０３】
第３のステータス表示画面制御機能は、前述した第３のステータス表示画面データ生成機能により生成された記録紙の残量のデータを含むステータス表示画面をパネル部１ｂの表示画面に表示させる機能である。
【０１０４】
なお、本実施の形態に係る複合機１の有するパネル部１ｂの表示画面に表示されるステータス表示画面には、ＤＨＣＰサーバ装置によって当該複合機１に割り当てられたＩＰアドレスに関する情報、前回電源がオフの状態に変更された直後に当該複合機１内に設けられたトナー容器内に残存する記録紙の残量に関する情報、及び当該複合機１にインストールされたファームウェアに関する情報のうち少なくとも何れか１つの情報が更に含まれていてもよいことはいうまでもない。
【０１０５】
第４のステータス表示画面データ生成機能は、前述した表示項目チェック機能により表示項目記憶メモリから読み出した表示項目の種別が「ファームウェアのバージョンに関するデータ」であると判定した場合に、ファームウェアのバージョンに関するデータをファームウェアデータ記憶メモリ１ｌから読み出した後、ステータス表示画面のテンプレートファイルのデータをテンプレートファイル記憶メモリ１ｔから読み出し、読み出したステータス表示画面のテンプレートファイルのデータと、ファームウェアのバージョンに関するデータとを合成して、ファームウェアのバージョンに関するデータを含むステータス画面のデータを生成する機能である。
【０１０６】
第４のステータス表示画面制御機能は、前述した第４のステータス表示画面データ生成機能により生成されたファームウェアのバージョンに関するデータを含むステータス表示画面をパネル部１ｂの表示画面に表示させる機能である。
【０１０７】
なお、本実施の形態に係る複合機１の有するパネル部１ｂの表示画面に表示されるステータス表示画面には、ＤＨＣＰサーバ装置によって当該複合機１に割り当てられたＩＰアドレスに関する情報、及び前回電源がオフの状態に変更された直後に当該複合機１内に設けられたトナー容器内に残存する記録紙の残量に関する情報のうち少なくとも何れか１つの情報が更に含まれていてもよいことはいうまでもない。
【０１０８】
なお、本実施の形態に係る複合機１は、シート状の情報記録材が搬送経路の何れかで詰まるジャムが過去に発生したことを示すジャム情報を含むステータス表示画面を表示してもよいことはいうまでもない。
【０１０９】
ハードウェア起動処理実行機能は、複合機１本体に実装された全てのハードウェアの認識処理、動作チェック等の処理を含むハードウェアの起動処理を順次実行する機能である。
【０１１０】
ハードウェア起動処理完了判定機能は、複合機１本体に実装された全てのハードウェアの起動処理が終了したかを判定する機能である。
【０１１１】
メニュー画面表示制御機能は、前述したハードウェア起動処理完了判定機能により複合機１本体に実装された全てのハードウェアの起動処理が終了したと判定された場合に、デフォルトに設定されたメニュー画面のデータをテンプレートファイル記憶メモリ１ｔから読み出し、読み出したメニュー画面をパネル部１ｂの表示画面に表示させる機能である。
【０１１２】
表示時間設定要求判定機能は、パネル部１ｂから出力されたレディ画面の表示時間のデータと、レディ画面の表示時間を設定するための表示時間設定要求との組を受け取ったかにより、操作者からレディ画面の表示時間を設定する表示時間設定要求があるかを判定する機能である。
【０１１３】
表示時間設定機能は、前述した表示時間設定要求判定機能により操作者からレディ画面の表示時間を設定する表示時間設定要求があると判定された場合に、テンプレートファイル記憶メモリ１ｔに記憶されたレディ画面のテンプレートファイル毎の表示時間のデータを設定する機能である。
【０１１４】
パケットデータ転送機能は、インターフェース部１ｃから受け取ったパケットに含まれるデータを画像生成部１ｕに出力する機能である。
【０１１５】
ビットマップデータ転送機能は、画像生成部１ｕから受け取ったビットマップデータをプリンターエンジン部１ｖに出力する機能である。
【０１１６】
データコピー機能は、プリンターエンジン部１ｖから出力された印刷ジョブリストのデータを受け取り、受け取った印刷ジョブリスト内のＭＡＣアドレス、ファイル名、印刷ジョブＩＤ、用紙サイズ、及び容量に関するデータのコピーを生成する機能である。
【０１１７】
初期データ書き込み機能は、前述したデータコピー機能により生成されたＭＡＣアドレス、ファイル名、印刷ジョブＩＤ、用紙サイズ、及び容量に関するデータのコピーを印刷ジョブ履歴データ記憶メモリ１ｓに書き込む機能である。
【０１１８】
実行予定ジョブデータ書き込み機能は、受け取ったビットマップのデータと、当該ビットマップのデータに添付された、前述したデータコピー機能によるコピー生成の元になったデータ、換言すればＭＡＣアドレス、ファイル名、印刷ジョブＩＤ、用紙サイズ、及び容量に関するデータのマスタとの組を実行予定ジョブ記憶バッファ１ｒに書き込む機能である。
【０１１９】
タイマー機能は、継続的に時刻を計時する機能である。
【０１２０】
トナー残量書き込み機能は、トナー残量検出部１ｄY、１ｄM、１ｄC、１ｄKから出力されたYMCK毎のトナーの残量とトナーセンサＩＤとの組を受け取り、受け取ったトナーの残量とトナーセンサＩＤとの組に、受信した時刻のデータを検出時刻のデータとして付加して、トナーの残量とトナーセンサＩＤと検出時刻のデータとの組をトナー残量記憶メモリ１ｉに書き込む機能である。
【０１２１】
印刷枚数書き込み機能は、給紙段別カウンタ１ｆ１〜１ｆｎから出力されたカウント済みの印刷枚数とカウンタ識別ＩＤとの組を受け取り、受け取ったカウント済みの印刷枚数とカウンタ識別ＩＤとの組に、受信した時刻のデータを検出時刻のデータとして付加して、カウント済みの印刷枚数とカウンタ識別ＩＤと検出時刻のデータとの組を給紙段別印刷枚数記憶メモリ１ｋに書き込む機能である。
【０１２２】
紙残量書き込み機能は、給紙段別紙残量検出部１ｅ１〜１ｅｎから出力された検出済みの給紙段毎の用紙の残量と残量センサＩＤとの組を受け取り、検出済みの給紙段毎の用紙の残量と残量センサＩＤとの組に、受信した時刻のデータを検出時刻のデータとして付加して、検出済みの給紙段毎の用紙の残量と残量センサＩＤと検出時刻のデータとの組を給紙段別紙残量記憶メモリ１ｊに書き込む機能である。
【０１２３】
第１の印刷ジョブ履歴更新機能は、印刷ジョブの処理を開始したことを示す印刷ジョブ開始通知をプリンターエンジン部１ｖから受け取った場合に、印刷ジョブの実行開始時刻のデータを、印刷ジョブ履歴データ記憶メモリ１ｓに記憶された印刷ジョブの初期データに上書きしてデータを更新する機能である。
【０１２４】
第２の印刷ジョブ履歴更新機能は、印刷ジョブの処理を終了したことを示す印刷ジョブ終了通知をプリンターエンジン部１ｖから受け取った場合に、印刷ジョブの終了時刻のデータを、印刷ジョブ履歴データ記憶メモリ１ｓに記憶された印刷ジョブのデータに上書きしてデータを更新する機能である。
【０１２５】
ジョブ受付可否判定機能は、実行予定ジョブ記憶バッファ１ｒに記憶された実行予定の印刷ジョブのデータを参照して、実行予定の印刷ジョブのデータの合計容量が、実行予定ジョブ記憶バッファ１ｒの容量未満であるかにより、印刷ジョブを受け付けることが可能であるかを判定する機能である。
【０１２６】
実行予定ジョブ有無判定機能は、前述したジョブ受付可否判定機能によって、印刷ジョブを受け付けることが可能であると判定された場合に、実行予定ジョブ記憶バッファ１ｒに記憶された実行予定の印刷ジョブのデータを参照して、次に実行予定の印刷ジョブが存在するかを判定する機能である。
【０１２７】
ジョブ実行処理命令出力機能は、前述したジョブ受付可否判定機能によって、ジョブを受け付けることが不可能であると判定された場合に、実行予定ジョブ記憶バッファ１ｒに記憶された次に実行予定の印刷ジョブを実行するように、印刷ジョブの実行命令を画像生成部１ｕに出力する機能である。
【０１２８】
実行予定ジョブ関連データ読み出し機能は、前述した実行予定ジョブ有無判定機能により次に実行予定の印刷ジョブが存在すると判定された場合には、次に実行予定の印刷ジョブに関するＭＡＣアドレスのデータ、及びファイル名のデータを実行予定ジョブ記憶バッファ１ｒから読み出す機能である。
【０１２９】
第１の占有者名読み出し機能は、前述した実行予定ジョブ関連データ読み出し機能により実行予定ジョブ記憶バッファ１ｒから読み出されたＭＡＣアドレスのデータに対応する端末装置を占有する個人の氏名に関するデータを占有者データ記憶メモリ１ｎから読み出す機能である。
【０１３０】
第１のレディ画面表示制御機能は、実行予定の印刷ジョブの有無に関する情報が「実行予定ジョブ有り」であるレディ画面のテンプレートファイルをテンプレートファイル記憶メモリ１ｔから読み出した後、前述した印刷ジョブ履歴データ記憶メモリ１ｓから読み出した印刷予定のファイル名のデータ、占有者データ記憶メモリ１ｎから読み出した端末装置を占有する個人の氏名に関するデータ、及び実行予定の印刷ジョブの有無に関する情報が「実行予定ジョブ有り」であるレディ画面のテンプレートファイルをテンプレートファイルのデータを合成して、印刷予定のファイル名のデータ、及び端末装置を占有する個人の氏名に関するデータを含むレディ画面を予め設定された表示時間の間だけ表示画面１ｂ１に表示させる機能である。
【０１３１】
実行済み印刷ジョブ有無判定機能は、前述した実行予定ジョブ有無判定機能により次に実行予定の印刷ジョブが存在しないと判定された場合に、印刷ジョブ履歴データ記憶メモリ１ｓに記憶された実行済みの印刷ジョブの実行終了時刻のデータを参照することにより、現在時刻以前に実行済みの印刷ジョブのデータが存在するかを判定する機能である。
【０１３２】
実行済みジョブ関連データ読み出し機能は、前述した実行済み印刷ジョブ有無判定機能により実行済み印刷ジョブのデータが存在すると判定された場合、前述した実行済みの印刷ジョブに対応するＭＡＣアドレスと用紙のサイズとのデータを印刷ジョブ履歴データ記憶メモリ１ｓから読み出す機能である。
【０１３３】
第２の占有者名読み出し機能は、印刷ジョブ履歴データ記憶メモリ１ｓから読み出したＭＡＣアドレスに対応した端末装置を占有する個人の氏名に関するデータを占有者データ記憶メモリ１ｎから読み出す機能である。
【０１３４】
排出トレイデータ読み出し機能は、前述した実行済みジョブ関連データ読み出し機能により印刷ジョブ履歴データ記憶メモリ１ｓから読み出された用紙のサイズのデータに対応する排出トレイのデータを排出トレイデータ記憶メモリ１ｏから読み出す機能である。
【０１３５】
第２のレディ画面表示制御機能は、実行済みの印刷ジョブの有無に関する情報が「実行済みジョブ有り」であるレディ画面のテンプレートファイルをテンプレートファイル記憶メモリ１ｔから読み出した後、占有者データ記憶メモリ１ｎから読み出したＭＡＣアドレスに対応する端末装置を占有する個人の氏名に関するデータ、印刷ジョブ履歴データ記憶メモリ１ｓから読み出した用紙のサイズに対応する排出トレイのデータ、及び実行済みの印刷ジョブの有無に関する情報が「実行済みジョブ有り」であるレディ画面のテンプレートファイルのデータを合成して、ＭＡＣアドレスに対応した端末装置を占有する個人の氏名に関するデータとドキュメントの排出された排出トレイのデータとを含むレディ画面を予め設定された表示時間の間だけ表示画面１ｂ１に表示させる機能である。
【０１３６】
デフォルト表示画面特定機能は、前述した実行済みジョブ有無判定機能により実行済みの印刷ジョブのデータが存在しないと判定された場合、テンプレートファイル記憶メモリ１ｔに記憶されたデフォルト表示画面の設定の有無に関する情報を参照して、デフォルト表示画面の設定の有無に関する情報が「デフォルト設定有り」であるレディ画面を特定する機能である。
【０１３７】
第３のレディ画面表示制御機能は、前述したデフォルト表示画面特定機能により特定されたデフォルト表示画面としてトナー残量を含むレディ画面が特定されている場合、実行予定の印刷ジョブの有無に関する情報が「実行予定のジョブ無し」であり、かつ、実行済みの印刷ジョブの有無に関する情報が「実行済みのジョブ無し」であり、かつ、デフォルト表示画面の設定の有無に関する情報が「デフォルト設定有り」に設定された、トナー残量を含むレディ画面のテンプレートファイルをテンプレートファイル記憶メモリ１ｔから読み出した後、トナー残量のデータをトナー残量記憶メモリ１ｉから読み出し、読み出したトナー残量のデータと、読み出したテンプレートファイルのデータとを合成して、トナー残量を含むレディ画面を予め設定された表示時間の間だけ表示画面１ｂ１に表示させる機能である。
【０１３８】
第４のレディ画面表示制御機能は、前述したデフォルト表示画面特定機能により特定されたデフォルト表示画面として給紙段毎の紙のサイズと給紙段毎の印刷枚数とを含むレディ画面が特定されている場合、実行予定の印刷ジョブの有無に関する情報が「実行予定のジョブ無し」であり、かつ、実行済みの印刷ジョブに関する情報が「実行済みのジョブ無し」であり、かつ、デフォルト表示画面の設定の有無に関する情報が「デフォルト設定有り」にそれぞれ設定された、給紙段毎の紙のサイズと給紙段毎の印刷枚数とを含むレディ画面のテンプレートファイルをテンプレートファイル記憶メモリ１ｔから読み出した後で、全カウンタ識別ＩＤに関する印刷枚数のデータ、換言すれば給紙段毎の印刷枚数のデータを給紙段別印刷枚数記憶メモリ１ｋから読み出し、しかる後、給紙段毎に予め設置された給紙段別カウンタ１ｆ１〜１ｆｎに割り当てられたカウンタ識別ＩＤのデータ、換言すれば各給紙段のデータと、給紙段毎に設定された紙のサイズに関するデータとを給紙段データ記憶メモリ１ｑから読み出し、読み出した給紙段毎の印刷枚数のデータと、給紙段毎に設定された紙のサイズに関するデータと、読み出したレディ画面のテンプレートファイルのデータとを合成して、給紙段毎に設定された紙のサイズと、給紙段毎の印刷枚数とを含むレディ画面を、次に実行予定の印刷ジョブの実行開始までの間の予め設定された表示時間の間だけ表示画面１ｂ１に表示させる機能である。
【０１３９】
第５のレディ画面表示制御機能は、前述したデフォルト表示画面特定機能により特定されたデフォルト表示画面として給紙段毎の紙のサイズと給紙段毎の紙の残量とを含むレディ画面が特定されている場合、実行予定の印刷ジョブの有無に関する情報が「実行予定のジョブ無し」であり、かつ、実行済みの印刷ジョブに関する情報が「実行済みのジョブ無し」であり、かつ、デフォルト表示画面の設定の有無に関する情報が「デフォルト設定有り」にそれぞれ設定された、給紙段毎の紙のサイズと給紙段毎の紙の残量とを含むレディ画面のテンプレートファイルをテンプレートファイル記憶メモリ１ｔから読み出した後、給紙段毎の紙の残量のデータを給紙段別紙残量記憶メモリ１ｊから読み出し、しかる後、給紙段毎に予め設置された給紙段別カウンタ１ｆ１〜１ｆｎに割り当てられたカウンタ識別ＩＤのデータ、換言すれば各給紙段のデータと、給紙段毎に設定された紙のサイズに関するデータとを給紙段データ記憶メモリ１ｑから読み出し、読み出した給紙段毎の紙の残量のデータと、給紙段毎に設定された紙のサイズに関するデータと、読み出したレディ画面のテンプレートファイルのデータとを合成して、給紙段毎の紙のサイズと給紙段毎の紙の残量とを含むレディ画面を、次に実行予定の印刷ジョブの実行開始までの間の予め設定された表示時間の間だけ表示画面１ｂ１に表示させる機能である。
【０１４０】
第６のレディ画面表示制御機能は、デフォルト表示画面特定機能により特定されたデフォルト表示画面として給紙段毎の紙のサイズと給紙段毎の紙の種別と紙の残量とを含むレディ画面が特定されている場合、実行予定の印刷ジョブの有無に関する情報が「実行予定のジョブ無し」であり、かつ、実行済みの印刷ジョブに関する情報が「実行済みのジョブ無し」であり、かつ、デフォルト表示画面の設定の有無に関する情報が「デフォルト設定有り」にそれぞれ設定された、給紙段毎の紙の種別、及び紙の残量を含むレディ画面のテンプレートファイルをテンプレートファイル記憶メモリ１ｔから読み出した後、給紙段毎の紙の残量のデータを給紙段別紙残量記憶メモリ１ｊから読み出し、更に、給紙段毎に予め設置された給紙段別カウンタ１ｆ１〜１ｆｎに割り当てられたカウンタ識別ＩＤのデータ、換言すれば各給紙段のデータと、給紙段毎に設定された紙のサイズに関するデータとを給紙段データ記憶メモリ１ｑから読み出し、しかる後、各給紙段に対応する紙の種別の情報を用紙種別データ記憶メモリ１ｐから読み出して、読み出した給紙段毎の紙の残量のデータ、読み出した給紙段毎の紙のサイズのデータ、読み出した給紙段毎の紙の種別のデータ、及び読み出したレディ画面のテンプレートファイルのデータを合成して、給紙段毎の紙のサイズと給紙段毎の紙の種別と紙の残量とを含むレディ画面を、次に実行予定の印刷ジョブの実行開始までの間の予め設定された表示時間の間だけ表示画面１ｂ１に表示させる機能である。
【０１４１】
なお、本実施の形態に係る制御部１ｗには、前述した実行予定ジョブ有無判定機能によって、実行予定の印刷ジョブを含む印刷ジョブリストが記憶された実行予定ジョブ記憶バッファ１ｒのデータを参照する処理を実行した後で、既に実行済みの印刷ジョブに関する履歴情報が記憶された印刷ジョブ履歴データ記憶メモリ１ｓを参照する処理を実行する機能と、当該参照の結果、実行予定の印刷ジョブ及び実行済みの印刷ジョブが存在するかを判定する機能と、当該判定の結果、実行予定の印刷ジョブ及び実行済みの印刷ジョブが共に存在した場合に、実行済みの印刷ジョブに関連する情報、具体的には、実行済みの印刷ジョブ毎の関連データ、換言すれば、印刷ジョブの実行要求を送信した送信元の端末装置を占有する個人の氏名に関するデータと、実行済みの印刷ジョブに関し、印刷済みのドキュメントが排出された排出トレイのデータとを含むレディ画面をパネル部１ｂの表示画面１ｂ１に選択的に表示させる機能とを更に備えていてもよいことは言うまでもない。
【０１４２】
また、本実施の形態に係る複合機１では、ＩＰアドレス記憶メモリ１ｇと、表示項目設定記憶メモリ１ｈと、トナー残量記憶メモリ１ｉと、給紙段別紙残量記憶メモリ１ｊと、給紙段別印刷枚数記憶メモリ１ｋと、ファームウェアデータ記憶メモリ１ｌと、プログラム記憶メモリ１ｍと、占有者データ記憶メモリ１ｎと、排出トレイデータ記憶メモリ１ｏと、用紙種別データ記憶メモリ１ｐと、給紙段データ記憶メモリ１ｑと、実行予定ジョブ記憶バッファ１ｒと、印刷ジョブ履歴データ記憶メモリ１ｓと、テンプレートファイル記憶メモリ１ｔとは、物理的に別体として設けられていたが、これに限らず、ＩＰアドレス記憶メモリ１ｇと、表示項目設定記憶メモリ１ｈと、トナー残量記憶メモリ１ｉと、給紙段別紙残量記憶メモリ１ｊと、給紙段別印刷枚数記憶メモリ１ｋと、ファームウェアデータ記憶メモリ１ｌと、プログラム記憶メモリ１ｍと、占有者データ記憶メモリ１ｎと、排出トレイデータ記憶メモリ１ｏと、用紙種別データ記憶メモリ１ｐと、給紙段データ記憶メモリ１ｑと、実行予定ジョブ記憶バッファ１ｒと、印刷ジョブ履歴データ記憶メモリ１ｓと、テンプレートファイル記憶メモリ１ｔとは、同一の半導体メモリ又はＨＤＤ(Hard Disk Drive)等に複数の領域に分割して設けることが出来ることは言うまでもない。
【０１４３】
次に、以上のように構成された複合機１の実行する実行処理に関して図面を参照して説明する。
【０１４４】
図３は、本発明に係る画像形成装置を適用した複合機１の実行する実行処理の一例に関して説明するためのフローチャートである。
【０１４５】
図４は、本発明に係る画像形成装置を適用した複合機１の実行する実行処理によって得られる効果に関して説明するための図である。
【０１４６】
なお、本実施の形態に係る複合機１の実行処理に関する以下の説明では、パネル部１ｂの操作によって図示しないメニュー画面上で選択された、当該複合機１の起動処理の実行中に操作者が表示を希望する表示項目に関するデータが表示項目設定記憶メモリ（設定情報記憶手段）１ｈに予め記憶されているものとする。
【０１４７】
また、本実施の形態に係る複合機１の実行処理に関する以下の説明では、前回電源がオフの状態に切り替えられる直前における記録紙の残量のデータが給紙段別紙残量記憶メモリ１ｊに記憶されているものとする。
【０１４８】
更に、本実施の形態に係る複合機１の実行処理に関する以下の説明では、複合機１にインストールされているファームウェアに関するデータがファームウェアデータ記憶メモリ１ｌに記憶されているものとする。
【０１４９】
また、本実施の形態に係る複合機１の実行処理に関する以下の説明では、説明を発明のポイントに絞ると共に、説明の簡素化を図る観点から、本実施の形態に係る複合機１の実行する全ての実行処理のうち、操作者の操作によって電源スイッチ１ａが投入された場合に実行される起動処理に関連する実行処理に関してのみ説明を行う。
【０１５０】
始めに、制御部１ｗは、電子スイッチから出力された電源投入信号を検出したかにより、操作者の操作によって電子スイッチがオンの状態に切り替えられたか、換言すれば電源が投入されたかを判定する（ＳＴ１）。
【０１５１】
制御部１ｗは、前述した工程ＳＴ１で操作者の操作によって電子スイッチがオンの状態に切り替えられたと判定した場合には（ＳＴ１：Ｙｅｓ）、インターフェース部１ｃの起動処理を実行する（ＳＴ２：起動処理実行手段）。
【０１５２】
一方、制御部１ｗは、前述した工程ＳＴ１で操作者の操作によって電子スイッチがオンの状態に切り替えられていないと判定した場合には（ＳＴ１：Ｎｏ）、操作者の操作によって電子スイッチがオンの状態に切り替えられたかに関する判定処理を繰り返す。
【０１５３】
工程ＳＴ３では、制御部１ｗは、周知のＤＨＣＰに準拠した手順で外部に設けられた図示しないＤＨＣＰサーバ装置にアクセスするようにインターフェース部１ｃを制御する。
【０１５４】
工程ＳＴ４では、制御部１ｗは、アクセスしたＤＨＣＰサーバ装置によって一定の期間だけ当該複合機１本体に割り当てられたＩＰアドレスをインターフェース部１ｃから受け取り、受け取ったＩＰアドレスのデータをＩＰアドレス記憶メモリ１ｇに記憶させる。
【０１５５】
工程ＳＴ５では、制御部１ｗは、複合機１本体にインストールされた全てのプログラムをプログラム記憶メモリ１ｍから順次読み出す。
【０１５６】
工程ＳＴ６では、制御部１ｗは、読み出したプログラムに含まれる各プログラムモジュール内部の動作チェック、各プログラムモジュール内部で設定されたローカル変数並びにグローバル変数の初期設定値への変更、及び引数の初期設定値への変更等を含むソフトウェアの起動処理を実行する（起動処理実行手段）。
【０１５７】
工程ＳＴ７では、制御部１ｗは、読み出した全てのプログラムに関してソフトウェアの起動処理が完了したかを判定する。
【０１５８】
制御部１ｗは、前述した工程ＳＴ７で読み出した全てのプログラムに関してソフトウェアの起動処理が完了したと判定した場合には（ＳＴ７：Ｙｅｓ）、操作者により設定された表示項目のデータを表示項目設定記憶メモリ１ｈから読み出し（設定情報読み出し手段）、読み出した表示項目のデータの種別を判定する（ＳＴ８）。
【０１５９】
一方、制御部１ｗは、前述した工程ＳＴ７で読み出した全てのプログラムに関してソフトウェアの起動処理が完了していないと判定した場合には（ＳＴ７：Ｎｏ）、残りのソフトウェアに関してソフトウェアの起動処理が完了するまでソフトウェアの起動処理を実行する。
【０１６０】
制御部１ｗは、前述した工程ＳＴ８で表示項目記憶メモリから読み出した表示項目の種別が「ＩＰアドレス」であると判定した場合には（ＳＴ８：Case1）、ＩＰアドレスのデータをＩＰアドレス記憶メモリ１ｇから読み出した後、ステータス表示画面のテンプレートファイルのデータをテンプレートファイル記憶メモリ１ｔから読み出し、読み出したステータス表示画面のテンプレートファイルのデータと、ＩＰアドレスのデータとを合成して、ＩＰアドレスのデータを含むステータス画面のデータを生成する（ＳＴ９）。
【０１６１】
工程ＳＴ１０では、制御部１ｗは、生成したＩＰアドレスのデータを含むステータス表示画面をパネル部１ｂの表示画面に表示させる。
【０１６２】
図５は、本発明に係る画像形成装置を適用した複合機１の有するパネル部１ｂの表示画面に表示されるステータス表示画面の一例を示す模式図である。
【０１６３】
このステータス表示画面には、ＤＨＣＰサーバ装置によって本実施の形態に係る複合機１に割り当てられたＩＰアドレスが「ｘｘｘｘ．ｘｘｘｘ．ｘｘｘｘ．ｘｘｘｘ」であることを示すメッセージと、メーカの名称を示すメッセージと、当該複合機１の起動処理が実行中であることを示すメッセージと、当該複合機１の起動処理の進捗状況を示すメッセージとが含まれている。
【０１６４】
なお、本実施の形態に係る複合機１の有するパネル部１ｂの表示画面に表示されるステータス表示画面には、前回電源がオフの状態に変更された直後に当該複合機１内に設けられたトナー容器内に残存するトナーの残量に関する情報、前回電源がオフの状態に変更された直後に当該複合機１内に設けられたトナー容器内に残存する記録紙の残量に関する情報、及び当該複合機１にインストールされたファームウェアに関する情報のうち少なくとも何れか１つの情報が更に含まれていてもよいことはいうまでもない。
【０１６５】
一方、制御部１ｗは、前述した工程ＳＴ８で表示項目記憶メモリから読み出した表示項目の種別が「トナーの残量」であると判定した場合には（ＳＴ８：Case２）、トナー残量記憶メモリ１ｉからトナーの残量のデータを読み出した後、テンプレートファイル記憶メモリ１ｔからステータス表示画面のテンプレートファイルのデータを読み出し、読み出したステータス表示画面のテンプレートファイルのデータと、トナーの残量のデータとを合成して、トナーの残量のデータを含むステータス画面のデータを生成する（ＳＴ１１）。
【０１６６】
工程ＳＴ１２では、制御部１ｗは、生成したトナーの残量のデータを含むステータス表示画面をパネル部１ｂの表示画面に表示させる。
【０１６７】
図６は、本発明に係る画像形成装置を適用した複合機１の有するパネル部１ｂの表示画面に表示されるステータス表示画面の他の一例を示す模式図である。
【０１６８】
このステータス表示画面には、前回電源がオフの状態に変更された直後に当該複合機１内に設けられたトナー容器内に残存するＹＭＣＫ毎のトナーの残量に関する情報を示すメッセージと、メーカの名称を示すメッセージと、当該複合機１の起動処理が実行中であることを示すメッセージと、当該複合機１の起動処理の進捗状況を示すメッセージとが含まれている。
【０１６９】
なお、本実施の形態に係る複合機１の有するパネル部１ｂの表示画面に表示されるステータス表示画面には、ＤＨＣＰサーバ装置によって当該複合機１に割り当てられたＩＰアドレスに関する情報、前回電源がオフの状態に変更された直後に当該複合機１内に設けられた用紙トレイ内に残存する記録紙の残量に関する情報、及び当該複合機１にインストールされたファームウェアに関する情報のうち少なくとも何れか１つの情報が更に含まれていてもよいことはいうまでもない。
【０１７０】
一方、制御部１ｗは、前述した工程ＳＴ８で表示項目記憶メモリから読み出した表示項目の種別が「記録紙の残量」であると判定した場合には（ＳＴ８：Case３）、記録紙の残量のデータを給紙段別残量記憶メモリから読み出した後、ステータス表示画面のテンプレートファイルのデータをテンプレートファイル記憶メモリ１ｔから読み出し、読み出したステータス表示画面のテンプレートファイルのデータと、記録紙の残量のデータとを合成して、記録紙の残量のデータを含むステータス画面のデータを生成する（ＳＴ１３）。
【０１７１】
工程ＳＴ１４では、制御部１ｗは、生成した記録紙の残量のデータを含むステータス表示画面をパネル部１ｂの表示画面に表示させる。
【０１７２】
図７は、本発明に係る画像形成装置を適用した複合機１の有するパネル部１ｂの表示画面に表示されるステータス表示画面の更に他の一例を示す模式図である。
【０１７３】
このステータス表示画面には、前回電源がオフの状態に変更された直後に当該複合機１内に設けられた用紙トレイ内に残存する記録紙の残量に関する情報を示すメッセージと、メーカの名称を示すメッセージと、当該複合機１の起動処理が実行中であることを示すメッセージと、当該複合機１の起動処理の進捗状況を示すメッセージとが含まれている。
【０１７４】
なお、本実施の形態に係る複合機１の有するパネル部１ｂの表示画面に表示されるステータス表示画面には、ＤＨＣＰサーバ装置によって当該複合機１に割り当てられたＩＰアドレスに関する情報、前回電源がオフの状態に変更された直後に当該複合機１内に設けられたトナー容器内に残存する記録紙の残量に関する情報、及び当該複合機１にインストールされたファームウェアに関する情報のうち少なくとも何れか１つの情報が更に含まれていてもよいことはいうまでもない。
【０１７５】
一方、制御部１ｗは、前述した工程ＳＴ８で表示項目記憶メモリから読み出した表示項目の種別が「ファームウェアのバージョンに関するデータ」であると判定した場合には（ＳＴ８：Case４）、ファームウェアのバージョンに関するデータをファームウェアデータ記憶メモリ１ｌから読み出した後、ステータス表示画面のテンプレートファイルのデータをテンプレートファイル記憶メモリ１ｔから読み出し、読み出したステータス表示画面のテンプレートファイルのデータと、ファームウェアのバージョンに関するデータとを合成して、ファームウェアのバージョンに関するデータを含むステータス画面のデータを生成する（ＳＴ１５）。
【０１７６】
工程ＳＴ１６では、制御部１ｗは、生成したファームウェアのバージョンに関するデータを含むステータス表示画面をパネル部１ｂの表示画面に表示させる。
【０１７７】
図８は、本発明に係る画像形成装置を適用した複合機１の有するパネル部１ｂの表示画面に表示されるステータス表示画面の更に他の一例を示す模式図である。
【０１７８】
このステータス表示画面には、前回電源がオフの状態に変更された直後に当該複合機１内にインストールされていたファームウェアのバージョンに関する情報を示すメッセージと、メーカの名称を示すメッセージと、当該複合機１の起動処理が実行中であることを示すメッセージと、当該複合機１の起動処理の進捗状況を示すメッセージとが含まれている。
【０１７９】
なお、本実施の形態に係る複合機１の有するパネル部１ｂの表示画面に表示されるステータス表示画面には、ＤＨＣＰサーバ装置によって当該複合機１に割り当てられたＩＰアドレスに関する情報、及び前回電源がオフの状態に変更された直後に当該複合機１内に設けられたトナー容器内に残存する記録紙の残量に関する情報のうち少なくとも何れか１つの情報が更に含まれていてもよいことはいうまでもない。
【０１８０】
なお、本実施の形態に係る複合機１は、シート状の情報記録材が搬送経路の何れかで詰まるジャムが過去に発生したことを示すジャム情報を含むステータス表示画面を表示してもよいことはいうまでもない。
【０１８１】
工程ＳＴ１７では、制御部１ｗは、複合機１本体に実装された全てのハードウェアの認識処理、動作チェック等の処理を含むハードウェアの起動処理を順次実行する（起動処理実行手段）。
【０１８２】
なお、本実施の形態に係る複合機１では、工程ＳＴ２、工程ＳＴ６、及び工程ＳＴ１７における実行処理が起動処理実行手段に該当する。
【０１８３】
工程ＳＴ１８では、制御部１ｗは、複合機１本体に実装された全てのハードウェアの起動処理が終了したかを判定する。
【０１８４】
制御部１ｗは、前述した工程ＳＴ１８で複合機１本体に実装された全てのハードウェアの起動処理が終了したと判定された場合には（ＳＴ１８：Ｙｅｓ）、デフォルトに設定されたメニュー画面のデータをテンプレートファイル記憶メモリ１ｔから読み出し、読み出したメニュー画面をパネル部１ｂの表示画面に表示させる（ＳＴ１９）。
【０１８５】
一方、制御部１ｗは、前述した工程ＳＴ１８で複合機１本体に実装された全てのハードウェアの起動処理が終了していないと判定された場合には（ＳＴ１８：Ｎｏ）、残りのハードウェアに関してハードウェアの起動処理が完了するまでハードウェアの起動処理を実行する。
【０１８６】
以上の一連の処理により、本実施の形態に係る複合機１は、実行中の処理を終了する。
【０１８７】
上述したように、本実施の形態に係る複合機１によれば、起動処理の完了前に任意の設定情報を表示することによって、起動処理に付随して発生する操作者の待機時間の短縮を図ると共に、操作者に対して与える不快感の軽減を図ることが可能となる。
【０１８８】
また、本実施の形態に係る複合機１によれば、操作者は、電源スイッチ１ａを投入した後、しばらく待機することによって、複合機１本体の起動処理の実行中にＩＰアドレスに関する情報を知ることが出来るので、操作者の占有するパーソナルコンピュータ等の端末装置を用いることによって、複合機１本体の起動処理の完了前に出力ポートの設定を行うことが可能になる。
【０１８９】
更に、本実施の形態に係る複合機１によれば、操作者は、電源スイッチ１ａを投入した後、しばらく待機することによって、パネル部１ｂの表示画面に表示された複数の情報の中から複合機１本体の起動処理の実行中に物理的に取得することが困難なトナーの残量に関する情報、ファームウェアに関する情報等の情報を操作者自身のパネル部１ｂの表示画面上における選択操作によって選択することが出来るので、ユーザービリティの向上を図ることが可能になる。
【０１９０】
また、本実施の形態に係る複合機１によれば、複合機１の起動処理に要する起動時間を操作者が有効利用できると共に、操作者の手間を削減することが可能になる。
【０１９１】
なお、上記実施の形態に係るプログラムは、コンピュータにインストールされた、アプリケーションプログラム、エミュレーター、ＯＳ、ブラウザー、ミドルウェア等によってその機能が実現されるものであってもよい。
【０１９２】
なお、上述した実施の形態に示す手法は、コンピュータにより読み出して実行させることのできるプログラムとして磁気ディスク（フロッピー（登録商標）ディスク、ハードディスクドライブ等）、光ディスク（ＣＤ−ＲＯＭ、ＤＶＤ、ＢＤ（Blu-ray Disk）−ＲＯＭ(Read Only Memory:再生専用型)、ＢＤ(Blu-ray Disk)−Ｒ(Recordable:追記型)、ＢＤ(Blu-ray Disk)−ＲＥ（Rewritable:書き換え型）、ＨＤ（High Definition） ＤＶＤ−ＲＯＭ、ＨＤ ＤＶＤ−Ｒ、ＨＤ ＤＶＤ−ＲＷ、ＨＤ ＤＶＤ−ＲＡＭ等）、光磁気ディスク（ＭＯ）、半導体メモリ、ホログラフィックメモリ等の記録媒体に格納して頒布することによりユーザーに提供することができる。
【０１９３】
また、本発明の画像形成プログラムの提供手法としては、例えば画像形成プログラムを記録媒体に記録させた状態でユーザーに頒布する手法や、例えばインターネット等の通信ネットワークを介してユーザーの保有するコンピュータに送信し、送信したプログラムをコンピュータにインストールさせる手法、無線を用いて提供する手法等が上げられる。また、本実施の形態に係る画像形成プログラムを提供する手法としては、いわゆる周知のＡＳＰ（Application Service Provider）による手法によってもよいことはいうまでもない。
【０１９４】
また、上記実施の形態に係る画像形成プログラムは、一般的な高級言語、例えばＣ言語、Ｄｅｌｐｈｉ、ＸＴＬ、Ｐｅｒｌ（Practical Extraction and Report Language）、ＸＭＬ(eXtensible Markup Language)や、オブジェクト指向言語（Ｃ++、ＪＡＶＡ、Ｃ＃、ＪＡＶＡ２、Ｓｍａｌｌ Ｔａｌｋ）等の任意のプログラム言語で作成されたものであってもよい。
【０１９５】
また、本発明に関して記録媒体としては、プログラムを記録でき、かつ、コンピュータが読み取り可能な記録媒体であれば、記録形式はいかなる形式であっても、例えば、磁気テープ、マイクロフィルム、半導体フラッシュメモリ、フロッピー（登録商標）ディスク、ＣＤ−ＲＯＭ、ＣＤ−Ｒ／ＲＷ、ＤＶＤ−ＲＯＭ、ＤＶＤ−ＲＡＭ、ＤＶＤ−Ｒ／−ＲＷ、ＤＶＤ+Ｒ／＋ＲＷ、ＭＯ、ホログラフィックメモリ、ＢＤ−ＲＯＭ、ＢＤ−Ｒ、ＢＤ−ＲＥ、ＨＤ（High Definition） ＤＶＤ−ＲＯＭ、ＨＤ ＤＶＤ−Ｒ、ＨＤ ＤＶＤ−ＲＷ、ＨＤ ＤＶＤ−ＲＡＭ等の何れの形態であってもよい。
【０１９６】
更に、本発明の記録媒体は、コンピュータと独立した媒体に限らず、ＬＡＮ、ＷＡＮ、イントラネット、及びインターネット等の通信ネットワークを介して記憶又は一時記憶した媒体であってもよい。
【０１９７】
また、本発明では、記録媒体の種類及び数は、ひとつである必要は無く、同一の形態又は形態の異なる複数の記録媒体の組み合わせからなっていてもよいことはいうまでもない。
【０１９８】
また、本発明は、上述した各機能を実現するプログラムを構成するのに必要不可欠なデータ構造、加工用プログラム、及び上記加工用プログラムが機能する各種ハードウェアを
包含する。
【０１９９】
なお、上記加工用プログラムは、一般的な高級言語、例えばＣ言語、Ｄｅｌｐｈｉ、ＸＴＬ、Ｐｅｒｌ（Practical Extraction and Report Language）、ＸＭＬ(eXtensible Markup Language)や、オブジェクト指向言語（Ｃ++、ＪＡＶＡ、Ｃ＃、ＪＡＶＡ２、Ｓｍａｌｌ Ｔａｌｋ）等の任意のプログラム言語で作成されたものであってもよい。
【０２００】
なお、本発明は、上記実施の形態に限定されるものではなく、実施段階では本発明の要旨を逸脱しない範囲内で種々の変更が可能である。更に上記実施の形態には種々の段階の発明が含まれており、開示される複数の構成要件における適宜な組み合わせにより種々の発明が生成され得る。例えば実施の形態に示される全構成要件からいくつかの要件が省略されることで発明が生成される場合には、その生成された発明を実施する段階では省略部分が周知慣用技術で補われるものである。
【０２０１】
その他、本発明は、その要旨を逸脱しない範囲内で種々変更して実施することができる。
【図面の簡単な説明】
【０２０２】
【図１】本発明に係る画像形成装置を適用した複合機１の一例を示す斜視図である。
【図２】本発明に係る画像形成装置を適用した複合機１の構成の一例を示す機能ブロック図である。
【図３】本発明に係る画像形成装置を適用した複合機１の実行する実行処理の一例に関して説明するためのフローチャートである。
【図４】本発明に係る画像形成装置を適用した複合機１の実行する実行処理によって得られる効果に関して説明するための図である。
【図５】本発明に係る画像形成装置を適用した複合機１の有するパネル部１ｂの表示画面に表示されるステータス表示画面の一例を示す模式図である。
【図６】本発明に係る画像形成装置を適用した複合機１の有するパネル部１ｂの表示画面に表示されるステータス表示画面の他の一例を示す模式図である。
【図７】本発明に係る画像形成装置を適用した複合機１の有するパネル部１ｂの表示画面に表示されるステータス表示画面の更に他の一例を示す模式図である。
【図８】本発明に係る画像形成装置を適用した複合機１の有するパネル部１ｂの表示画面に表示されるステータス表示画面の更に他の一例を示す模式図である。
【符号の説明】
【０２０３】
１…複合機、１ａ…電源スイッチ、１ｂ…パネル部、１ｃ…インターフェース部、１ｄＹ、１ｄＭ、１ｄＣ、１ｄＫ…トナー残量検出部、１ｅ１〜１ｅｎ…給紙段別紙残量検出部、１ｆ１〜１ｆｎ…給紙段別カウンタと、１ｇ…ＩＰアドレス記憶メモリ、１ｈ…表示項目設定記憶メモリ、１ｉ…トナー残量記憶メモリ、１ｊ…給紙段別紙残量記憶メモリ、１ｋ…給紙段別印刷枚数記憶メモリ、１ｌ…ファームウェアデータ記憶メモリ、１ｍ…プログラム記憶メモリ、１ｎ…占有者データ記憶メモリ、１ｏ…排出トレイデータ記憶メモリ、１ｐ…用紙種別データ記憶メモリ、１ｑ…給紙段データ記憶メモリ、１ｒ…実行予定ジョブ記憶バッファ、１ｓ…印刷ジョブ履歴データ記憶メモリ、１ｔ…テンプレートファイル記憶メモリ、１ｕ…画像生成部、１ｖ…プリンターエンジン部、１ｗ…制御部
【図１】
0005145063.tif 000002
【図２】
0005145063.tif 000003
【図３】
0005145063.tif 000004
【図４】
0005145063.tif 000005
【図５】
0005145063.tif 000006
【図６】
0005145063.tif 000007
【図７】
0005145063.tif 000008
【図８】
0005145063.tif 000009